(57)【要約】      （修正有）【課題】使用の態様、方法に応じて、開閉を瞬時に可能な場合と、タイトかつ堅固に締結可能な場合とを選択可能である自立型囲い部材を提供する。【解決手段】第１矩形面１１、第２矩形面１２、第３矩形面１３及び第４矩形面１４の４つの矩形面１０を有している。４つの矩形面１０は、第１矩形面１１から第４矩形面１４まで直列に連結されており、それぞれの境界で互いに折り畳み自在に形成されている。両側端部に配置される第１矩形面１１と第４矩形面１４を隣接して閉じることにより、上面及び底面が開放され、４つの矩形面１０を側面部とする四角筒状に形成される。第１矩形面１１と第４矩形面１４との間は、必要に応じて開閉可能なように開閉手段を有している。開閉手段は、主として面ファスナー２１、２２とで開閉する第１開閉手段と、紐７０で結んで開閉する第２開閉手段と、を備えている。【選択図】図１
2015030579.tif 000002
【特許請求の範囲】
【請求項１】
４つの矩形面がそれぞれ折り畳み自在に直列に連結されてなる側面部と、
側面部の両側端部に配置される２つの矩形面のうち一方矩形面の端辺に延長して形成され、裏面に面ファスナーを有する延設片と、
前記両側端部に配置される２つの矩形面のうち他方矩形面の端辺近傍に取り付けられた面ファスナーと、前記他方矩形面に端辺側が開放されるように一方側が取着された締結片と、前記他方矩形面の上方端辺近傍に端辺側が開放されるように一方側が開放された上部締結片と、
紐と、を備えてなり、
前記延設片は、少なくとも上方端辺近傍と下方端辺近傍に前記紐と通す延設片貫通孔が形成されており、
前記締結片は、少なくとも前記上方端辺近傍と前記下方端辺近傍に前記紐と通す締結片貫通孔が形成されており、
前記上部締結片は、前記延設片の前記上方端辺近傍の前記紐を通す紐用貫通孔に相当する位置に上部貫通孔が形成されていることを特徴とする自立型囲い部材。
【請求項２】
前記延設片及び前記締結片は、前記上方端辺近傍と前記下方端辺近傍の紐用貫通孔の間にそれぞれ１又は２以上の中位延設片貫通孔及び中位締結片貫通孔が形成されていることを特徴とする請求項１に記載の自立型囲い部材。
【請求項３】
前記延設片に設けられる面ファスナーのうち最も上方に配置される面ファスナーは、上方端辺より１ｃｍ〜１０ｃｍ下方に設けられることを特徴とする請求項１又は２に記載の自立型囲い部材。
【請求項４】
前記面ファスナーは、前記延設片の端辺より内側に配置されていることを特徴とする請求項１から３のいずれか１項に記載の自立型囲い部材。
【請求項５】
前記延設片の先端には、剛性部材が挿入されていることを特徴とする請求項１から４のいずれか１項に記載の自立型囲い部材。
【請求項６】
前記紐は、前記延設片の最上部に配置される前記延設片貫通孔と前記上部締結片に形成された前記上部貫通孔とを直接通されていることを特徴とする請求項１から５のいずれか１項に記載の自立型囲い部材。
【請求項７】
前記紐は、前記延設片の最上部に配置される前記延設片貫通孔、前記上部締結片に形成された前記上部貫通孔、前記締結片の最下部の前記締結片貫通孔、前記延設片の最下部の前記延設片貫通孔、前記締結片の中位に配置される前記締結片貫通孔、前記延設片の中位に配置される前記延設片貫通孔、前記締結片の最上部に配置される前記締結片貫通孔の順に通されることを特徴とする請求項１から６のいずれか１項に記載の自立型囲い部材。
【発明の詳細な説明】
【技術分野】
【０００１】
本発明は、自立型囲い部材に関し、特に折り畳み可能な自立型囲い部材に関する。
【背景技術】
【０００２】
本発明者は、シート部材又は網状部材より正面、右側面、左側面、背面の四つの矩形面を有する角筒状に形成し、各稜線に形成される袋体の内部に剛性部材を挿入して自立可能とするとともに、一の矩形面とこれに隣接する他の矩形面とを連結開閉手段によって連結して、一の矩形面とこれに隣接する他の矩形面との間の開閉を自在に行えるようにした自立型囲い部材を発明している（特許文献１）。
【０００３】
かかる自立型囲い部材は、一般家庭ゴミの収集場所においてゴミ袋が散在することがないようゴミ袋の載置領域を区画しながらカラスや犬猫等によってゴミ袋が荒らされないようにゴミ袋を収容し、かつ設置や片付けを容易に行えるとともに、工事現場や建設現場等において排出される土砂や産業廃棄物等の収容及び運搬作業を容易かつ効率的に行えるようにする折り畳み可能な自立型囲い部材を提供できる点では大変有効なものである。
【０００４】
しかしながら、かかる自立型囲い部材は、紐でのみ縛るものであるため、開閉を瞬時に行うことが難しいという問題点があった。また、かかる自立型囲い部材は、紐を下方から両方の孔を交互に通しているため、強く引いても下方側を締め付けることが難しいという問題点があった。
【先行技術文献】
【特許文献】
【０００５】
【特許文献１】特開２００７−１５３４０３号公報
【発明の開示】
【発明が解決しようとする課題】
【０００６】
そこで、本発明は、こうした課題を鑑みてなされたものであり、使用の態様、方法に応じて、開閉を瞬時に可能な場合と、タイトかつ堅固に締結可能な場合とを選択可能である自立型囲い部材を提供することを目的とする。
【課題を解決するための手段】
【０００７】
本発明は、上述の目的を達成するために、以下の手段を採った。
【０００８】
本発明にかかる自立型囲い部材は、
４つの矩形面がそれぞれ折り畳み自在に直列に連結されてなる側面部と、
側面部の両側端部に配置される２つの矩形面のうち一方矩形面の端辺に延長して形成され、裏面に面ファスナーを有する延設片と、
前記両側端部に配置される２つの矩形面のうち他方矩形面の端辺近傍に取り付けられた面ファスナーと、前記他方矩形面に端辺側が開放されるように一方側が取着された締結片と、前記他方矩形面の上方端辺近傍に端辺側が開放されるように一方側が開放された上部締結片と、
紐と、を備えてなり、
前記延設片は、少なくとも上方端辺近傍と下方端辺近傍に前記紐と通す延設片貫通孔が形成されており、
前記締結片は、少なくとも前記上方端辺近傍と前記下方端辺近傍に前記紐と通す締結片貫通孔が形成されており、
前記上部締結片は、前記延設片の前記上方端辺近傍の前記紐を通す紐用貫通孔に相当する位置に上部貫通孔が形成されていることを特徴とする。
【０００９】
本発明にかかる自立型囲い部材によれば、４つの面を有する側面部を有するため、４面で周囲を囲うことができる囲い部材を提供することができる。その際に、開閉部は、面ファスナーによる固定と紐による固定の両方を有しているため、これらの固定方法を使用形態に応じていずれかを使用したり、両方を使用したりと固定方法を選択することができる。面ファスナーによる固定のみを使用した場合には、迅速かつ容易に取り外しができるため、自立型囲い部材の設置及び撤収を容易に行うことができる。しかし、面ファスナーによる固定は、一定の力以上の力で引っ張られると外れる可能性がある。そこで、より強固な固定を必要とする場合には、紐で固定することができる。紐で固定することによって、紐が切れるか若しくは貫通孔が破損するまで開閉部が開くことを防止することができる。また、紐だけであると、内側に物を入れた場合、紐と紐との間に隙間ができる可能性があるが、面ファスナーと組み合わせることによって、開閉部に隙間が形成されることが防止される。さらに、面ファスナーが使用により劣化した場合であっても紐を利用することで自立型囲い部材として使用することができる。
【００１０】
また、本発明にかかる自立型囲い部材において、前記延設片及び前記締結片は、前記上方端辺近傍と前記下方端辺近傍の紐用貫通孔の間にそれぞれ１又は２以上の中位延設片貫通孔及び中位締結片貫通孔が形成されていることを特徴とするものであってもよい。紐用の貫通孔を複数設けることによって、より強固に矩形面同士を固定することができる。
【００１１】
また、本発明にかかる自立型囲い部材において、前記延設片に設けられる面ファスナーのうち最も上方に配置される面ファスナーは、上方端辺より１ｃｍ〜１０ｃｍ下方に設けられることを特徴とするものであってもよい。かかる構成を採用することによって、延設片の上方に面ファスナーで固定されていない部分が設けられるので、延設片の上方を持って延設片の面ファスナーを外しやすくすることができる。
【００１２】
また、本発明にかかる自立型囲い部材において、面ファスナーは、前記延設片の端辺より内側に配置されていることを特徴とするものであってもよい。かかる構成を採用することによって、延設片の端辺を持って容易に面ファスナーを外すことができる。
【００１３】
また、本発明にかかる自立型囲い部材において、前記延設片の先端には、剛性部材が挿入されていることを特徴とするものであってもよい。かかる構成を採用することによって、剛性部材を持って面ファスナーを外せば、一箇所持てば剛性部材にともなって容易にすべての面ファスナーを外すことができる。
【００１４】
また、本発明にかかる自立型囲い部材において、前記紐は、前記延設片の最上部に配置される前記延設片貫通孔と前記上部締結片に形成された前記上部貫通孔とを直接通されていることを特徴とするものであってもよい。かかる構成を採用することで、最上部に配置される延設片貫通孔を通った紐を引っ張れば、隣接する矩形面の上方側を互いに引き付け合うように締め付けることができる。
【００１５】
また、本発明にかかる自立型囲い部材において、前記紐は、前記延設片の最上部に配置される前記延設片貫通孔、前記上部締結片に形成された前記上部貫通孔、前記締結片の最下部の前記締結片貫通孔、前記延設片の最下部の前記延設片貫通孔、前記締結片の中位に配置される前記締結片貫通孔、前記延設片の中位に配置される前記延設片貫通孔、前記締結片の最上部に配置される前記締結片貫通孔の順に通されることを特徴とするものであってもよい。かかる構成を採用することで、開放している矩形面の上方及び中央並びに下方のすべてを引き付け合うように締め付けることができる。
【図面の簡単な説明】
【００１６】
【図１】第１実施形態にかかる自立型囲い部材１００の斜視図である。
【図２】第１実施形態にかかる自立型囲い部材１００の使用状態を示す斜視図である。
【図３】第１実施形態にかかる自立型囲い部材１００を折り畳む方法を示す斜視図である。
【図４】第１実施形態にかかる自立型囲い部材１００の別使用例を示す斜視図である。
【発明を実施するための形態】
【００１７】
以下、本発明を実施するための形態について、図面に沿って詳細に説明する。なお、以下に説明する実施形態及び図面は、本発明の実施形態の一部を例示するものであり、これらの構成に限定する目的に使用されるものではない。なお、各図において対応する構成要素には同一又は類似の符号が付されている。
【００１８】
（第１実施形態）
第１実施形態にかかる自立型囲い部材１００は、図１に示すように、第１矩形面１１、第２矩形面１２、第３矩形面１３及び第４矩形面１４の４つの矩形面１０を有している。４つの矩形面１０は、第１矩形面１１から第４矩形面１４まで直列に連結されており、それぞれの境界で互いに折り畳み自在に形成されている。両側端部に配置される第１矩形面１１と第４矩形面１４を隣接して閉じることにより、上面側及び底面側が開放され、４つの矩形面１０を側面部とする四角筒状に形成される。４つの矩形面１０は、すべて同じ幅に形成するとよい。これは折り畳んだときにすべての矩形面１０の幅が同じ幅とすることで、４分の１の大きさの平板状に折り畳むことができるからである。実際には、矩形面の厚さ等によっては、全く同じ幅であると折り曲げられない場合もあるので、その場合には折り曲げに影響がないように幅の長さを修正してもよい。矩形面の材料としては、プラスチック板、ダンボールプラスチック、木質板等のように硬質な板状物を使用するとよい。
【００１９】
第１矩形面１１と第４矩形面１４との間は、必要に応じて開閉可能なように開閉手段を有している。開閉手段は、主として面ファスナーとで開閉する第１開閉手段と、紐で結んで開閉する第２開閉手段と、を備えている。
【００２０】
第１開閉手段は、第１矩形面１１及び第４矩形面１４のそれぞれに雌雄の面ファスナーが一対となるように設けられている。第１矩形面１１の端辺１１ａ近傍には、複数の第１面ファスナー２１ａ、２１ｂ、２１ｃ、２１ｄが設けられている。この際に、最も上方にある第１面ファスナー２１ａは、上方端辺１１ｂから１ｃｍ〜１０ｃｍ程度の隙間αを設けて配置される。他方、第４矩形面１４の端辺１４ａには、第１矩形面１１と第４矩形面１４とを隣接配置した際に、第１矩形面１１の少なくとも第１面ファスナー２１の表面全体を覆うことができるように延設される延設片３０が設けられており、この延設片３０の裏面に前述した第１面ファスナー２１とそれぞれ相対するように雄雌反対の第２面ファスナー２２を複数配置されている。これにより、延設片３０を第１矩形面１１の第１面ファスナー２１に被せることで、第１矩形面１１と第４矩形面１４とを第１面ファスナー２１及び第２面ファスナー２２により連結することができる。延設片３０は、柔軟性を有するシートが使用される。柔軟性を有するシートを採用することで、延設片３０が容易に折り曲げられて第１矩形面１１に覆い被せることができ、第２面ファスナー２２側から第１面ファスナー２１の表面に沿わせて押圧することで、より確実に固定することができる。第２面ファスナー２２は、延設片３０の端辺３０ａより若干内側に配置するとよい。これにより、延設片３０の端辺３０ａをつまんで、面ファスナーを取り外すことができる。なお、隙間αが設けられているので、延設片３０の上方部分を掴んで取り外しても良い。また、延設片３０の端辺３０ａには、ＦＲＰ等で作製された棒状の剛性部材を設けてもよい。端辺３０ａに剛性部材を配置することで、端辺３０ａのいずれか１部を掴んだ状態ですべての第１面ファスナー２１、第２面ファスナー２２を外すことができる。なお、端辺３０ａに剛性部材を配置するには、端辺３０ａを袋状に形成して挿入するとよい。
【００２１】
第２開閉手段は、紐７０で結んで閉じる手段である。第１矩形面１１側には、端辺１１ａ側が開放されるように上下に渡って取り付けられた締結片４０が、第１面ファスナー２１に被らないように、かつ隣接して配置されている。締結片４０には、紐７０を通すために上方から第１締結片貫通孔９０ａ、中位締結片貫通孔として第２締結片貫通孔９０ｂ、第３締結片貫通孔９０ｃの３つの貫通孔が形成されている。さらに、第１矩形面１１と締結片４０との間であって、かつ上方端辺１１ｂ近傍に端辺１１ａ側が開放された上部締結片５０を備えている。上部締結片５０は、最も上方にある第１面ファスナー２１ａより上方に配置されている。この上部締結片５０にも紐７０を通すために上部貫通孔９０ｇが設けられている。他方、延設片３０にも締結片４０の３つの締結片貫通孔に対応する位置にそれぞれ上から第１延設片用貫通孔９０ｄ、中位延設片貫通孔として第２延設片貫通孔９０ｅ、第３延設片貫通孔９０ｆの３つの貫通孔が形成されている。これら紐用貫通孔９０には、補強のためにハトメを取り付けておくとよい（図示しない。）。
【００２２】
以上の自立型囲い部材１００は、図１に示すように、紐７０が以下のように紐用貫通孔９０に通される。まず、締結片４０の第１締結片貫通孔９０ａの表面側から裏面側に通し、第２延設片貫通孔９０ｅに延設片３０の裏面側から表面側に通し、第２締結片貫通孔９０ｂに締結片４０の表面側から裏面側に通し、第３延設片貫通孔９０ｆに延設片３０の裏面側から表面側に通し、第３締結片貫通孔９０ｃに締結片４０の表面側から裏面側に通し、上部貫通孔９０ｇに上部締結片５０の裏面側から表面側に通し、最後に第１延設片用貫通孔９０ｄに延設片３０の裏面側から表面側に通す。
【００２３】
こうして作製された自立型囲い部材１００は、第１締結片貫通孔９０ａ側の紐７０の端部７０ａを引くことによって、自立型囲い部材１００の中央の第２締結片貫通孔９０ｂ及び第２延設片貫通孔９０ｅを締め付け、下方側へ向かって強く第１矩形面１１と第４矩形面１４を閉じることができる。一方、第１延設片用貫通孔９０ｄ側の紐７０の端部７０ｂを引くと、上部締結片５０を引き付けることができるため、第１矩形面１１と第４矩形面１４の上方側をより密接させて固定することができるととともに、そのまま最下部の第３締結片貫通孔９０ｃ及び第３延設片貫通孔９０ｆに紐７０が通じているので、最下部を強く閉じることができる。この際に、上部締結片５０を設けることで、紐７０の端部７０ａ側が第１締結片貫通孔９０ａから直接真下の第３締結片貫通孔９０ｃに通っていても７０ｂ側を引くのみで上方の第１矩形面１１と第４矩形面１４を閉じることができる。このように、第１実施形態にかかる自立型囲い部材１００によれば、紐７０の端部７０ａ、７０ｂによって、第１矩形面１１と第４矩形面１４の上方、中央及び下方のすべてを締め付けることができる。このように、締結片貫通孔と延設片貫通孔が３個ずつの場合が最も効率よくすべての対応する孔同士を締め付けることができる。また紐７０を締め付けることで、第１面ファスナー２１、第２面ファスナー２２が自動的に互いに押圧されることになり、第１面ファスナー２１、第２面ファスナー２２の固定も同時にされることになる。こうして、図２に示すように、第１矩形面１１の上方と第４矩形面１４は確実に締め付けられた状態で固定されることになる。
【００２４】
以上のように作製された自立型囲い部材は、例えば、ゴミ収集場所において、ゴミ袋１の収容場所とその他の境界を明示するために使用される。図２に示すように、自立型囲い部材１００の上方、すなわち開放した平面からゴミ袋１が投入されて、周囲にゴム袋１が散乱することを防止することができる。一般家庭によるゴミ袋１を収容する程度の場合は、それほど強固な固定は必要でないので、面ファスナーによる固定のみで、紐７０による固定はしなくてもよい。内部のゴミ袋１を回収する場合には、面ファスナーを外して自立型囲い部材１００の第１矩形面１１と第４矩形面１４との間を開いて、自立型囲い部材１００を上方に引き上げて取り外し、載積されたゴミ袋１を回収する。この際に、紐７０があるので、面ファスナーを完全に取り外した状態でも、自立型囲い部材１００は完全に開くことなく、一定の囲い形状を保つことができる。そのため、次の使用の際にも容易に囲い形状を作製することができる。
【００２５】
このようにして自立型囲い部材１００を取り外すことができるので、ゴミ袋１の取り出しが容易に行えるようになる。また、第１矩形面１１と第４矩形面１４との間を開閉自在に形成したことにより、自立型囲い部材１００の内部が物で満杯になっている場合でも、自立型囲い部材１００の取り外しを簡単に行うことができる。そして、使用が完了した後は、図３に示すように、第１矩形面１１と第２矩形面１２及び第３矩形面１３と第４矩形面１４とをそれぞれ重ねあわせ、その後、第２矩形面１２と第３矩形面１３を重ねあわせて平らに折り畳んだ状態にして保管される。
【００２６】
このようにして形成された自立型囲い部材１００は、収容場所を容易に区画することができるとともに、物を収容しても型崩れすることなく安定して設置することができる。また、第１矩形面１１と第４矩形面１４との間で自立型囲い部材１００を開放することができるので、自立型囲い部材１００の取り外しが簡単に行えて、収容物の回収作業が行いやすくなる。さらに、折り畳みが可能であるので、使用後に場所をとらずに保管しておくことができ、設置場所までの運搬も容易に行うことができる。
【００２７】
また、例えば、図４に示すように自立型囲い部材１００の内側に補強用袋３を挿入した状態で、建築廃材や土砂等２を収容する場合は、面ファスナーの強度では足らず、土砂等を容器内に収容している最中に外れる危険性がある。その場合には、面ファスナーに加えて紐７０でしっかり結ぶことによって、より強固に第１矩形面１１と第４矩形面１４との間を固定することができる。
【００２８】
このように実施形態にかかる自立型囲い部材によれば、紐７０と第２面ファスナー２２とを使用方法に応じて使い分けて使用することができる。
【００２９】
なお、本発明は上述した実施形態に何ら限定されるものではなく、本発明の技術的範囲に属する限り種々の態様で実施しうる。
【００３０】
例えば、上述した実施形態においては、延設片３０及び締結片４０には、３つの紐用貫通孔９０を設けるものとしたが、３つに限定されるものではなく、４つ以上の紐用貫通孔９０を設けるものであってもよい。
【００３１】
また、上述した実施形態においては、矩形面１１、１２、１３、１４に剛性を有する素材を使用したが、軟質のシート部材や網状部材を面に使用して、稜線部に袋体を形成し、剛性を有するポール等を挿入したり、取り付けたりしてもよい。例えば、ポリエチレンでラミネート処理したものやポリプロピレンのシート等を使用することができる。
【００３２】
さらに、上述した実施形態においては、上面は開放して形成したが、例えば第３矩形面の上辺に連接された蓋等を設けても良い。
【００３３】
なお、本発明は上述した実施形態に何ら限定されるものではなく、本発明の技術的範囲に属する限り種々の態様で実施しうる。
【産業上の利用可能性】
【００３４】
上述した実施の形態で示すように、自立型の囲い部材として産業上利用可能である。
【符号の説明】
【００３５】
１…ゴミ袋、１０…矩形面、１１…第１矩形面、１１ｂ…上方端辺、１２…第２矩形面、１３…第３矩形面、１４…第４矩形面、１４ａ…端辺、２１…第１面ファスナー、２２…第２面ファスナー、３０…延設片、３０ａ…端辺、４０…締結片、５０…上部締結片、７０…紐、７０ａ…端部、７０ｂ…端部、９０…紐用貫通孔、９０ａ…第１締結片貫通孔、９０ｂ…第２締結片貫通孔、９０ｃ…第３締結片貫通孔、９０ｄ…第１延設片用貫通孔、９０ｅ…第２延設片貫通孔、９０ｆ…第３延設片貫通孔、９０ｇ…上部貫通孔、１００…自立型囲い部材
【図１】
2015030579.tif 000003
【図２】
2015030579.tif 000004
【図３】
2015030579.tif 000005
【図４】
2015030579.tif 000006